(57)【特許請求の範囲】
【請求項１】
外壁の開口部の内周側に固定され、該外壁の屋外側より突出するサッシ枠本体と、
第１屈曲部が前記サッシ枠本体の背面に密着され、第２屈曲部が前記外壁の屋外側に固定されて、前記サッシ枠本体の背面を覆い、前記外壁の屋外側より前記サッシ枠本体とほぼ同一距離突出する化粧枠部材と、
前記化粧枠部材に囲まれる位置に配置され、前記外壁の屋外側に一端が固定されて、自由端が前記化粧枠部材の第１屈曲部を弾性的に押圧し、前記化粧枠部材と前記サッシ枠本体とを密着させる押圧部材と、
を有することを特徴とするサッシ枠構造。
【請求項２】
請求項１において、
前記押圧部材は、自由端が前記サッシ枠本体から離れるように屈曲していることを特徴とするサッシ枠構造。
【請求項３】
請求項１または請求項２において、
前記化粧枠部材の第１屈曲部のサッシ枠本体側には弾性材料が貼付されていることを特徴とするサッシ枠構造。
【請求項４】
外壁の開口部の内周側に、前記外壁の屋外側より突出する状態で、サッシ枠本体を固定する工程と、
自由端が前記サッシ枠本体に接触する状態で、前記外壁の屋外側に押圧部材の一端を固定する押圧部材固定工程と、
前記化粧枠部材の第１屈曲部を前記サッシ枠本体と前記押圧部材の自由端との間に圧入し、前記化粧枠部材の第２屈曲部を前記外壁に密着させて固定する化粧枠部材固定工程と、
を有し、
前記化粧枠部材が、前記押圧部材によって前記サッシ枠本体に押圧された状態で固定されることを特徴とするサッシ枠の組立方法。
【請求項５】
請求項４において、
前記押圧部材は、前記自由端が前記サッシ枠本体から離れるように屈曲しており、
前記化粧枠部材固定工程では、屈曲した該自由端と前記サッシ枠本体との間に前記化粧枠部材の第１屈曲部を圧入することを特徴とするサッシ枠の組立方法。
【発明の詳細な説明】
【０００１】
【発明の属する技術分野】
本発明は、外壁の屋外側より突出するサッシ枠構造およびサッシ枠の組立方法に関する。
【０００２】
【関連技術および発明が解決しようとする課題】
外壁の屋外側より突出するサッシ枠構造の一例を図４に水平断面図として示す。この例では、まず、外壁５０の開口部５２に面する芯材５４の屋外側の面と開口部５２側の面との角部を覆ってサッシ枠本体１４が固定され、その後、化粧枠部材２０が、化粧枠部材２０の一端を外壁５０の芯材５４にネジ等で固定され、他端をサッシ枠本体１４にブチルゴム等の接着剤６６で接着されて固定される構造となっていた。
【０００３】
ところが、このような化粧枠部材２０の固定方法によると、何らかの外力によって、一旦、化粧枠部材２０のサッシ枠本体１４に対する接着が離れてしまうと、サッシ枠本体１４と化粧枠部材２０との間に隙間ができてしまい、見苦しくなるという問題があった。
【０００４】
本発明は、上記のような問題点に鑑みてなされたものであって、その目的は、化粧枠部材に何らかの外力が働き、化粧枠部材がサッシ枠本体から一時的に離れることがあったとしても、化粧枠部材とサッシ枠との間に隙間が生じることのないサッシ枠構造を提供することにある。
【０００５】
【課題を解決するための手段】
以下、本欄においては、上記目的を達成するための手段を、本願の各請求項の各構成要件に対して本願の実施の形態の符号を対応させて説明する。
【０００６】
請求項１に記載の発明に係るサッシ枠構造は、
外壁５０の開口部５２の内周側に固定され、該外壁５０の屋外側より突出するサッシ枠本体１４と、
第１屈曲部２２が前記サッシ枠本体１４の背面に密着され、第２屈曲部２６が前記外壁５０の屋外側に固定されて、前記サッシ枠本体１４の背面を覆い、前記外壁５０の屋外側より前記サッシ枠本体１４とほぼ同一距離突出する化粧枠部材２０と、
前記化粧枠部材２０に囲まれる位置に配置され、前記外壁５０の屋外側に一端３２が固定されて、自由端３４が前記化粧枠部材２０の第１屈曲部２２を弾性的に押圧し、前記化粧枠部材２０と前記サッシ枠本体１４とを密着させる押圧部材３０と、
を有することを特徴とする。
【０００７】
請求項１に記載の発明によれば、サッシ枠本体は、外壁の開口部の内周側に、外壁の屋外側より突出する状態で固定されている。また、化粧枠部材は、サッシ枠本体の背面すなわち開口部端面と平行なサッシ枠本体の面のうち開口部から遠い側の面を覆い、サッシ枠本体とほぼ同一距離だけ外壁の屋外側より突出している。化粧枠部材の第１屈曲部は前記サッシ枠本体の背面に密着され、第２屈曲部は外壁の屋外側に固定されている。なお、押圧部材は、外壁の屋外側に一端が固定され、自由端が化粧枠部材の第１屈曲部を弾性的に押圧して、化粧枠部材とサッシ枠本体とを密着させている。
【０００８】
したがって、押圧部材の自由端による押圧によって化粧枠部材の第１屈曲部がサッシ枠本体に密着した状態が保たれ、外力によってサッシ枠本体と化粧枠部材との間に一旦隙間が生じたとしても、押圧部材の押圧力によってサッシ枠本体と化粧枠部材とは密着した状態に戻され、その状態が保持される。そのため、サッシ枠本体と化粧枠部材との間に隙間が生じて見苦しい状態となることがない。
【０００９】
また、サッシ枠本体と化粧枠部材とが別体となっているため、外壁へ固定される部分の間が幅広になることなく、サッシ枠本体と化粧枠部材とを外壁に固定することができる。したがって、これらを一体化したサッシ枠として、同じ範囲を覆う幅を持つサッシ枠を用いた場合に比べ、強度の大きい構造となる。
【００１０】
請求項２は、請求項１に記載の発明に係るサッシ枠構造において、
前記押圧部材３０は、自由端３４が前記サッシ枠本体１４から離れるように屈曲していることを特徴とする。
【００１１】
請求項２に記載の発明によれば、押圧部材の自由端がサッシ枠本体から離れるように屈曲しているため、自由端とサッシ枠本体との間に隙間を生じる。したがって、この隙間に化粧枠部材の第１屈曲部を圧入することによって、化粧枠部材がサッシ枠本体に密着した状態で固定することができる。
【００１２】
請求項３は、請求項１に記載の発明に係るサッシ枠構造において、
前記化粧枠部材２０の第１屈曲部２２のサッシ枠本体１４側には弾性材料２３が貼付されていることを特徴とする。
【００１３】
請求項３に記載の発明によれば、化粧枠部材がサッシ枠本体に密着する部分である第１屈曲部のサッシ枠本体側に弾性材料が貼付されているため、サッシ枠本体と化粧枠部材との間の摩擦が大きくなり、サッシ枠本体に押圧される化粧枠部材の位置ずれがおきにくい構造となる。
【００１４】
請求項４に記載の発明に係るサッシ枠の組立方法は、
外壁５０の開口部５２の内周側に、前記外壁５０の屋外側より突出する状態で、サッシ枠本体１４を固定する工程と、
自由端３４が前記サッシ枠本体１４に接触する状態で、前記外壁５０の屋外側に押圧部材３０の一端を固定する押圧部材固定工程と、
前記化粧枠部材２０の第１屈曲部２２を前記サッシ枠本体１４と前記押圧部材３０の自由端３４との間に圧入し、前記化粧枠部材２０の第２屈曲部２６を前記外壁５０に密着させて固定する化粧枠部材固定工程と、
を有し、
前記化粧枠部材２０が、前記押圧部材３０によって前記サッシ枠本体１４に押圧された状態で固定されることを特徴とする。
【００１５】
請求項４に記載の発明に係るサッシ枠の組立方法によれば、押圧部材の自由端による押圧によって化粧枠部材の第１屈曲部がサッシ枠本体に密着した状態が保たれ、外力によってサッシ枠本体と化粧枠部材との間に一旦隙間が生じたとしても、押圧部材の押圧力によってサッシ枠本体と化粧枠部材とが密着した状態に戻り、その状態が保持されるサッシ枠を得ることができる。
【００１６】
請求項５に記載の発明に係るサッシ枠の組立方法は、請求項４において、
前記押圧部材は、前記自由端が前記サッシ枠本体から離れるように屈曲しており、
前記化粧枠部材固定工程では、屈曲した該自由端と前記サッシ枠本体との間に前記化粧枠部材の第１屈曲部を圧入することを特徴とする。
【００１７】
請求項５に記載の発明に係るサッシ枠の組立方法によれば、押圧部材の自由端が、サッシ枠本体から離れるように屈曲しているため、自由端とサッシ枠本体との間に隙間が形成され、その隙間を介して化粧枠部材の第１屈曲部を自由端とサッシ枠本体との間に容易に圧入することができる。
【００１８】
【発明の実施の形態】
以下、本発明の好適な実施例について、図面を参照しながら、さらに具体的に説明する。なお、説明の都合上、サッシ枠構造、およびサッシ枠組立方法に分けて説明する。
【００１９】
＜サッシ枠構造＞
図１は、本実施例のサッシ枠構造を、外装材（図示せず）が取り付けられる前の状態として示す、サッシ枠１０付近の水平断面図である。図１は、例えば外壁の正面図である図２の円Ａで囲んだ付近のＩ−Ｉ線に沿った断面図に相当する。図３は、本実施例のサッシ枠１０の組立を示す、図１と同じ位置における、分解断面図である。
【００２０】
これらの図に示すように、本実施例のサッシ枠構造は、外壁５０の開口部５２の内周側に固定されるサッシ枠本体１４と、サッシ枠本体１４に並行して配置される化粧枠部材２０と、化粧枠部材２０に押圧力を加えて所定の位置に固定する押圧部材３０とを含んで構成される。
【００２１】
サッシ枠本体１４，１５は、図２および図３に示すように、外壁５０の開口部５２の内周側の全高、全幅にわたり、外壁５０の開口部５２の内周側すなわち芯材５４の開口部５２側にネジや接着剤等で固定される。固定されたサッシ枠本体１４，１５は、外壁５０の屋外側より突出する状態となる。
【００２２】
化粧枠部材２０は、第１屈曲部２２がサッシ枠本体１４の背面すなわち開口部５２の端面と平行なサッシ枠本体１４の面のうち開口部５２から遠い側の面に密着する位置で、しかも第２屈曲部２６を外壁５０の屋外側すなわち芯材５４の屋外側に密着させた状態で、第２屈曲部２６を外壁５０の屋外側にネジや接着剤等で固定することによって、固定される。化粧枠部材２０は、このように固定されて、サッシ枠本体１４の背面を、開口部５２の全高にわたって覆う。また、このように固定された化粧枠部材２０は、サッシ枠本体１４とほぼ同一距離だけ外壁５０の屋外側より突出する状態となる。
【００２３】
押圧部材３０は、自由端３４が化粧枠部材２０の第１屈曲部２２を弾性的に押圧する状態で、外壁５０の屋外側すなわち芯材５４の屋外側に一端が固定されている。押圧部材３０は開口部５２の全高にわたり所定の間隔で配置される。このように、押圧部材３０が化粧枠部材２０の第１屈曲部２２をサッシ枠本体１４に押圧しているため、化粧枠部材２０とサッシ枠本体１４とが密着される。したがって、外力等のために、サッシ枠本体１４と化粧枠部材２０との間に隙間が生じることがない。
【００２４】
なお、押圧部材３０は、自由端３４がサッシ枠本体１４から離れるように屈曲して形成されている。したがって、押圧部材３０は、自由端３４の屈曲している部分で、化粧枠部材２０の第１屈曲部２２をサッシ枠本体１４に押圧することになる。
【００２５】
また、図３に示すように、化粧枠部材２０の第１屈曲部２２のサッシ枠本体１４側には、弾性材料２３であるブチルゴムが貼付されている。したがって、サッシ枠本体１４と化粧枠部材２０との間の摩擦が大きくなり、サッシ枠本体１４に押圧される化粧枠部材２０の第１屈曲部２２の位置ずれがおきにくい構造となる。なお、弾性材料２３はブチルゴムに限らず、通常の気候環境のもとで経時劣化が少ない弾性材料であればよい。
【００２６】
上記のように、本実施例のサッシ枠構造によれば、押圧部材３０の自由端３４による押圧によって化粧枠部材２０の第１屈曲部２２がサッシ枠本体１４に密着した状態が保たれ、外力によってサッシ枠本体１４と化粧枠部材２０との間に一旦隙間が生じたとしても、押圧部材３０の押圧力によってサッシ枠本体１４と化粧枠部材２０とは密着した状態に戻され、その状態が保持される。そのため、サッシ枠本体１４と化粧枠部材２０との間に隙間が生じて見苦しい状態となることがない。
【００２７】
また、サッシ枠本体１４と化粧枠部材２０とが別体となっているため、外壁５０へ固定される部分の間が幅広になることなく、サッシ枠本体１４と化粧枠部材２０とを外壁５０に固定することができる。したがって、これらを一体化したサッシ枠として、同じ範囲を覆う幅を持つサッシ枠を用いた場合に比べ、強度の大きい構造となる。
【００２８】
＜サッシ枠の組立方法＞
次に本実施例のサッシ枠１０の組立について述べる。
【００２９】
図３に示すように、本実施例のサッシ枠１０は、外壁５０の外装材（図示せず）が取り付けられる前に、以下の工程を含んで組み立てられる。
【００３０】
まず、外壁５０の開口部５２の内周側すなわち芯材５４の開口部５２側に、外壁５０の屋外側より突出する状態で、サッシ枠本体１４を固定する。
【００３１】
次に、サッシ枠本体１４の外壁５０屋外側の面上に位置する部分を含めて、外壁５０の屋外側を防水シート５６で覆う。
【００３２】
次いで、押圧部材３０の自由端３４がサッシ枠本体１４に接触する状態で、外壁５０の屋外側すなわち芯材５４の屋外側の面に押圧部材３０の一端３２をネジ等で固定することによって、押圧部材３０を固定する。
【００３３】
そして、化粧枠部材２０の第１屈曲部２２をサッシ枠本体１４と押圧部材３０の自由端３４との間に圧入し、化粧枠部材２０の第２屈曲部２６を外壁の一部を成す芯材５４に密着させてネジ等で芯材５４の屋外側に固定することによって、化粧枠部材２０を固定する。
【００３４】
以上のようにして、本実施例のサッシ枠が組み立てられる。
【００３５】
このように、本実施例のサッシ枠１０の組立方法によれば、押圧部材３０の自由端３４による押圧によって化粧枠部材２０の第１屈曲部２２がサッシ枠本体１４に密着した状態が保たれ、外力によってサッシ枠本体１４と化粧枠部材２０との間に一旦隙間が生じたとしても、押圧部材３０の押圧力によってサッシ枠本体１４と化粧枠部材２０とは密着した状態に戻され、その状態が保持されるサッシ枠１０を得ることができる。
【００３６】
なお、前述したように、押圧部材３０の自由端３４は、サッシ枠本体１４から離れるように屈曲しているため、押圧部材３０の自由端３４とサッシ枠本体１４との間には隙間が存在する。したがって、サッシ枠本体１４と押圧部材３０の自由端３４との間に、化粧枠部材２０の第１屈曲部２２を圧入する際には、この隙間から化粧枠部材２０の第１屈曲部２２を容易に圧入することができ、化粧枠部材２０がサッシ枠本体１４に密着した状態で、化粧枠部材２０を芯材５４に固定することができる。
【００３７】
以上、本発明の実施例を説明したが、本発明は前述した実施例に限定されるものではなく、本発明の要旨の範囲内または特許請求の範囲の均等範囲内で各種の変形実施が可能である。
【００３８】
例えば、上記実施例では、押圧部材が開口部の全高にわたって所定間隔で配置される例を示したが、押圧部材は開口部の全高にわたって連続する形状であっても良い。
【００３９】
また、上記実施例では、サッシ枠本体および化粧枠部材が外壁を構成する芯材に固定される例を示したが、サッシ枠本体および化粧枠部材は外壁を構成する柱や枠材などに固定されても良い。
【００４０】
【発明の効果】
以上説明したように、請求項１に記載の発明によれば、押圧部材の自由端による押圧によって化粧枠部材の第１屈曲部がサッシ枠本体に密着した状態が保たれ、外力によってサッシ枠本体と化粧枠部材との間に一旦隙間が生じたとしても、押圧部材の押圧力によってサッシ枠本体と化粧枠部材とは密着した状態に戻され、その状態が保持される。そのため、サッシ枠本体と化粧枠部材との間に隙間が生じて見苦しい状態となることがない。
【００４１】
また、サッシ枠本体と化粧枠部材とが別体となっているため、外壁へ固定される部分の間が幅広になることなく、サッシ枠本体と化粧枠部材とを外壁に固定することができる。したがって、これらを一体化したサッシ枠として、同じ範囲を覆う幅を持つサッシ枠を用いた場合に比べ、強度の大きい構造となる。
【００４２】
請求項２に記載の発明によれば、押圧部材の自由端がサッシ枠本体から離れるように屈曲しているため、自由端とサッシ枠本体との間に隙間を生じる。したがって、この隙間に化粧枠部材の第１屈曲部を圧入することによって、化粧枠部材がサッシ枠本体に密着した状態で固定することができる。
【００４３】
請求項３に記載の発明によれば、化粧枠部材がサッシ枠本体に密着する部分である第１屈曲部のサッシ枠本体側に弾性材料が貼付されているため、サッシ枠本体と化粧枠部材との間の摩擦が大きくなり、サッシ枠本体に押圧される化粧枠部材の位置ずれがおきにくい構造となる。
【００４４】
請求項４に記載の発明に係るサッシ枠の組立方法によれば、押圧部材の自由端による押圧によって化粧枠部材の第１屈曲部がサッシ枠本体に密着した状態が保たれ、外力によってサッシ枠本体と化粧枠部材との間に一旦隙間が生じたとしても、押圧部材の押圧力によってサッシ枠本体と化粧枠部材とが密着した状態に戻り、その状態が保持されるサッシ枠を得ることができる。
【００４５】
請求項５に記載の発明に係るサッシ枠の組立方法によれば、押圧部材の自由端が、サッシ枠本体から離れるように屈曲しているため、自由端とサッシ枠本体との間に隙間が形成され、その隙間を介して化粧枠部材の第１屈曲部を自由端とサッシ枠本体との間に容易に圧入することができる。
【図面の簡単な説明】
【図１】実施例のサッシ枠構造を示す水平断面図である。
【図２】実施例のサッシ枠構造を有する外壁の概略正面図である。
【図３】実施例のサッシ枠構造を示す分解断面図である。
【図４】従来のサッシ枠構造を示す水平断面図である。
【符号の説明】
１０  サッシ枠
１４  サッシ枠本体
２０  化粧枠部材
２２  第１屈曲部
２３  弾性材料
３０  押圧部材
３２  一端
３４  自由端
５０  外壁
５２  開口部
５４  芯材
【図１】
0003621789.tif 000002
【図２】
0003621789.tif 000003
【図３】
0003621789.tif 000004
【図４】
0003621789.tif 000005